(57)【特許請求の範囲】
【請求項１】
加熱手段により加熱された加熱装置内の温水を、
第１混合弁にて水道水と混合することによって所定の温水に制御し、この温水を給湯電磁弁、温水供給路を介して浴槽に供給する風呂給湯手段と；
浴槽内の温水を、切換２方弁、モータで駆動されるポンプ、により風呂戻り通路を介してポンプ内へ吸入し、ポンプから吐出される温水を温水供給路を囲繞するヒータにて所定の温度に昇温し、再び温水供給路より浴槽へ供給する追焚き手段と；
を備える自動給湯装置において、
少なくとも前記第１混合弁５、給湯電磁弁６、切換２方弁１２、モータＭを備えるポンプＰ、ヒータ９及び前記各構成間を接続する配管７，１４をベース部材Ｅに一体的に装着し、前記第１混合弁の温水流入路５Ｃを加熱装置１に接続するとともに冷水流入路５Ｂを水道に接続し、温水供給路７及びポンプＰに連なる風呂戻り通路１４を浴槽８内に開口し、更に切換２方弁の上方ジョイント部材１２Ｆに形成される第１流路１２Ａと、ポンプＰの第２流路Ｐ２とを接続する風呂戻り通路１４と、ポンプＰの第１流路Ｐ１と温水供給路７の、垂直部７Ｄとを接続する温水供給路７と、をＵ字形状としたことを特徴とする自動給湯装置。
【発明の詳細な説明】
【０００１】
【産業上の利用分野】
本発明は、加熱装置にて加熱された温水を、混合弁にて水道水と混合して所定の温水に制御し、この温水を浴槽あるいはカランへ自動的に給湯する自動給湯装置に関する。
【０００２】
【従来の技術】
従来の自動給湯装置は図３に示されるもので、これは自動給湯装置の全体構成図である。
１は加熱装置であり、バルブ２が開放されると、水道水は減圧弁３によって減圧され、（例えば１．５kg／ｃｍ2 ）これが加熱装置１内へ供給される。加熱装置１内に流入する水道水は、加熱装置１内においてガスあるいは石油等の燃焼及び電熱によって例えば９０℃に加熱されて温水となり、この温水は温水路４を介して外部へ流出する。
５は第１混合弁であり、弁本体５Ａに冷水流入路５Ｂ、温水流入路５Ｃ、混合湯路５Ｄが開口するとともに前記流路の開口を制御する往復弁体を動作させる、ワックス弁とモータを備える。
この第１混合弁５は、温水流入路５Ｃから流入する温水と冷水流入路５Ｂから流入する水道水を混合し、任意の温度に制御された温水を混合湯路５Ｄより流出させる。
６は給湯電磁弁であり、弁本体６Ａに流入路６Ｂ、流出路６Ｃが開口するとともにパイロット電磁弁、フローセンサ、逆止弁、バキュームブレーカー等を備えるもので、パイロット電磁弁に入力される信号に応じて流出路６Ｃから流出される温水の供給、停止を制御する。
７は温水供給路であり、その下流端は浴槽８内に開口し、温水供給路７の外周にはヒータ９が囲繞される。そしてヒータ９に通電されると、温水供給路７は加熱され、温水供給路７内を流れる温水は昇温される。
前記構成において、加熱装置１と第１混合弁５の温水流入路５Ｃとは温水路４によって接続され、第１混合弁５の冷水流入路５Ｂは減圧弁３より下流側の流路と水道水流路１０によって接続され、第１混合弁５の混合湯路５Ｄは給湯電磁弁６と流入路６Ｂへ接続される。又給湯電磁弁６の流出路６Ｃは温水供給路７に接続され、この温水供給路７の下端が浴槽８内に開口する。
以上が所定の温度に制御された温水を使用目的に応じて浴槽８に向けて供給あるいは停止する風呂給湯手段である。
【０００３】
ＰはモータＭの回転によってポンプ作用をなすポンプであり、ポンプＰは第１流路Ｐ１と第２流路Ｐ２とが開口する。ポンプＰは、ポンプ内の羽根が回転してポンプ作用を成すもので、第２流路Ｐ２から第１流路Ｐ１に向かって流体が昇圧されて吐出される。尚、ポンプＰの非動作時において第１流路Ｐ１から第２流路Ｐ２に向かう流体の流れは許容される。
１２はモータ、減速機、ボール弁よりなる切換２方弁であり、圧力センサ１３を備える。そしてポンプＰの第１流路Ｐ１はヒータ９より上流側の温水供給路７に、第１風呂戻り通路１４Ａにて接続され、ポンプＰの第２流路Ｐ２は切換２方弁１２の第１流路１２Ａに第２風呂戻り通路１４Ｂにて接続され、さらに切換２方弁１２の第２流路１２Ｂは、第３風呂戻り通路１４Ｃにて浴槽８に接続されて開口する。
すなわち風呂戻り通路１４は、第１，第２，第３風呂戻り通路１４Ａ，１４Ｂ，１４Ｃによって構成される。
以上が浴槽８内の温水を、ポンプＰのポンプ作用によって風呂戻り通路１４から温水供給路７に向かって循還させ、温水供給路７内を流れる温水をヒータ９によって所定の温度迄上昇させ、この温水を再び浴槽８内へ供給して浴槽８内の温度を所定温度迄上昇させる追焚き手段である。
そして前記風呂給湯手段と追焚き手段とによって風呂自動給湯ユニットＡが形成される。
【０００４】
１５は、第２混合弁であり、弁本体１５Ａに冷水流入路１５Ｂ、温水流入路１５Ｃ、混合湯路１５Ｄが開口するとともに前記流路の開口を制御する往復弁体を動作させるワックス弁と、モータを備える。
そして、温水流入路１５Ｃは、第１混合弁５と加熱装置１とを接続する温水路４に第２温水路４Ａを介して接続され、冷水流入路１５Ｂは水道水流路１０と第２水道水流路１０Ａによって接続され、混合湯路１５Ｄはカラン１６と第２温水供給路７Ａによって接続される。
以上が所定の温度に制御された温水をカラン１６に向けて供給する一般給湯手段であって一般自動給湯ユニットＢをなす。
【０００５】
【発明が解決しようとする課題】
かかる従来の自動給湯装置によると、風呂自動給湯ユニットＡを構成する、第１混合弁５、給湯電磁弁６、ヒータ９及びモータＭを備えるポンプＰ、切換２方弁１２は、格別に用意され、それらは加熱装置あるいは家屋の外壁等の固定部に向けて取付けステーを介してネジ締め等の締結手段をもって固定される。
そして前記各構成が固定部に固着された後において各構成が配管接続される。
又、一般自動給湯ユニットＢを構成する第２混合弁１５にあっても前記と同様に取付けステーを介して締結手段をもって固定部に固定配置され、次いで配管接続される。
【０００６】
以上によると、各構成は固定部に対して取付けステーを介して締結手段によって固定されるので、その固着作業に当たって、まず加熱装置、外壁等の固定部を選択して特定し、それに向けて固着する必要がある。
以上によれば固着の条件は作業工事ごとに異なるもので各構成の固定作業には多大な工数を要するのみならず困難を極める。
例えば固定部と各構成を連結する取付けステーは複数種類を用意する必要があり、また各構成の固定位置が工事ごとに異なることから配管長さ、配管形状も変化し部品の共用化が達成できない。このように固定作業に多大な工数を必要とすること、複数の部品を用意すること、は工事日数が延びるとともにコストが上昇して好ましいものでない。
又、風呂自動給湯ユニットＡ及び一般自動給湯ユニットＢはユニットの組付け完了後、それらの作動確認を行なう必要があり、この作動確認は工事現場において全ての組付けが終了した後でないと実施できない。
そして、仮に不具合が生じた場合、現場に充分な検査機器を用意できないことからその原因の追求、及びその対策を即座に実施できない恐れがある。
【０００７】
本発明になる自動給湯装置は、前記不具合に鑑み成されたもので、自動給湯装置を構成する各構成部品及びそれらを接続する配管の取付け作業性を向上するとともに取付け手段を共通化して装置全体の製造コストの低減を図ること。及び装置の品質向上を達成するとともにメンテナンス性の向上を図ること。のできる自動給湯装置を提供することを目的とする。
【０００８】
【課題を解決する為の手段】
本発明になる自動給湯装置は前記目的達成の為に、加熱手段により加熱された加熱装置内の温水を、
第１混合弁にて水道水と混合することによって所定の温水に制御し、この温水を給湯電磁弁、温水供給路を介して浴槽に供給する風呂給湯手段と；
浴槽内の温水を、切換２方弁、モータで駆動されるポンプ、により風呂戻り通路を介してポンプ内へ吸入し、ポンプから吐出される温水を温水供給路を囲繞するヒータにて所定の温度に昇温し、再び温水供給路より浴槽へ供給する追焚き手段と；
を備える自動給湯装置において、
少なくとも前記第１混合弁、給湯電磁弁、切換２方弁、モータを備えるポンプＰ、ヒータ及び前記各構成間を接続する配管をベース部材に一体的に装着し、前記第１混合弁の温水流入路を加熱装置に接続するとともに冷水流入路を水道に接続し、温水供給路及びポンプに連なる風呂戻り通路を浴槽内に開口し、
更に切換２方弁の上方ジョイント部材に形成される第１流路と、ポンプの第２流路とを接続する風呂戻り通路と、ポンプの第１流路と温水供給路の、垂直部とを接続する温水供給路と、をＵ字形状としたことを特徴とする。
【０００９】
【実施例】
以下、本発明になる自動給湯装置の一実施例を図１により説明する。
図１は風呂自動給湯ユニットの要部縦断面図を含む構成図であり、加熱装置、浴槽は図３と同一のものが使用されるもので省略された。
尚、図３と同一構成部品については同一符号を使用する。
Ｅは自動給湯装置を構成する各構成部品及びそれらを接続する配管を固着、固定する為のベース部材であり、本例におけるベース部材Ｅは水平方向に形成される水平板部ＥＡと、水平板部ＥＡから上方に向かう垂直板部ＥＢと、垂直板部ＥＢから側方に向かって延びる側板部ＥＣとによって構成され、これらは金属板を折曲げ形成することによって形成される。
モータＭの下方に一体配置される取付脚部ＭＡは弾性体よりなるグロメット２０を介してベース部材Ｅの水平板部ＥＡ上に螺着されるもので、このとき、第１流路Ｐ１と第２流路Ｐ２を備えるポンプＰはモータＭに接続固定されることから水平板部ＥＡ上にモータＭ、ポンプＰが固定配置される。
【００１０】
モータ２１、減速機（図示せず）、ボール弁２２、更には圧力センサ１３を備える切換２方弁１２はモータＭを備えるポンプＰの右方の水平板部ＥＡ上に固定配置される。本例においては圧力センサ１３を含めて切換２方弁１２とよんだ。切換２方弁１２は、下方から上方に向けて第２流路１２Ｂを備える下側ジョイント部材１２Ｃ、圧力センサ体１２Ｄ、弁本体１２Ｅ、第１流路１２Ａを備える上方ジョイント部材１２Ｆが図示せぬ締結バンド等によって接続されるもので、このうち下方ジョイント部材１２Ｃから側方に向かってのびる鍔部１２Ｇが水平板部ＥＡの下面に螺着固定され、その上部１２Ｈが水平板部ＥＡを貫通して上方に向かって突出して配置され、この上部１２Ｈに圧力センサ体１２Ｄが接続固定される。
従って、上方ジョイント部材１２Ｆ、弁本体１２Ｅ、圧力センサ体１２Ｄは下側ジョイント部材１２Ｃを介してベース部材Ｅの水平板部ＥＡに固定されるもので、これによって切換２方弁１２がベース部材Ｅに固定されることになる。
以上をもって、切換２方弁１２がベース部材Ｅの水平板部ＥＡ上に固定配置された。
【００１１】
温水供給路７はモータＭを備えるポンプＰの左方の水平板部ＥＡ上に固定配置される。
７Ａは温水供給路７の一部を形成する下方ジョイント部材であり、側方に向かってのびる鍔部７Ｂが水平板部ＥＡの下面に螺着固定され、その上部７Ｃが水平板部ＥＡを貫通して上方に向かって突出して配置される。
温水供給路７は前記水平板部ＥＡに固定される下方ジョイント部材７Ａの上部７Ｃに接続されるもので、このとき垂直方向に沿って配置される温水供給路７の垂直部７Ｄの外周にはヒータ９が囲繞して配置され、この垂直部７Ｄはヒータ９とともにベース部材Ｅの垂直板部ＥＢに螺着固定される。
以上によれば温水供給路７の端部は下方ジョイント部材７Ａを介して水平板部ＥＡに固定され、下方ジョイント部材７Ａの上部７Ｃから上方に向かう垂直部７Ｄが垂直板部ＥＢに固定されるもので、これによって温水供給路７は強固にベース部材Ｅに固定され、更に温水供給路７の上流側はＴ型ジョイント２３を介してポンプＰの第１流路Ｐ１に接続される。
従って温水供給路７の上流側はベース部材Ｅの水平板部ＥＡ上に固定されるポンプＰの第１流路Ｐ１に接続され、下流側は、ベース部材Ｅの水平板部ＥＡ上に固定される下方ジョイント部材７Ａの上部７Ｃに接続され、さらにその垂直部７Ｄがベース部材Ｅの垂直板部ＥＢに固定されるので温水供給路７は強固して確実にベース部材Ｅに固定される。
【００１２】
第１混合弁５は弁本体５Ａに、冷水導入路５Ｂ、温水流入路５Ｃ、混合湯路５Ｄが開口し、更にワックス弁ＥＡとモータ２５を備える。
一方、ベース部材Ｅの側板部ＥＣは、垂直板部ＥＢの上方から右方に向かって折曲って形成されるもので、側板部ＥＣの腕部ＥＤ上に弁本体５Ａが配置されて螺着固定され、これによって第１混合弁５がベース部材Ｅに固定される。
【００１３】
給湯電磁弁６は弁本体６Ａに流入路６Ｂ、流出路６Ｃが開口するとともにパイロット電磁弁２４、フローセンサ２５、逆止弁２６等を備えるもので、給湯電磁弁６の流入路６Ｂは第１混合弁５の混合湯路５Ｄに固定的に接続され、流出路６ＣはＴ型ジョイント２３に固定的に接続される。
すなわち、流入路６Ｂが固定状態にある第１混合弁５の混合湯路５Ｄに接続され、流出路６Ｃが温水供給路７とともに固定状態にあるＴ型ジョイント２３に接続されたので給湯電磁弁６もまたベース部材Ｅに固定配置されることになる。
【００１４】
ここで前記各構成を接続する配管系について再度説明する。
風呂戻り通路１４は切換２方弁１２の第１流路１２ＡとポンプＰの第２流路Ｐ２とを接続し、温水供給路７の下流は下方ジョイント部材７Ａに接続され、上流はＴ型ジョイント２３を介してポンプＰの第１流路Ｐ１に接続され、更に給湯電磁弁６の流出路６ＣはＴ型ジョイント２３に接続される。
又、ポンプＰの右側方に切換２方弁１２が配置され、ポンプＰの左側方に温水供給路７の垂直部７Ｄが配置さたもので、このとき切換２方弁１２の第１流路１２ＡとポンプＰの第２流路Ｐ２とを接続する風呂戻り通路１４をＵ字形状として形成され、更にポンプＰの第１流路Ｐ１から温水供給路７の垂直部７Ｄに向かう温水供給路をＵ字形状として形成される。
【００１５】
以上によれば、ベース部材Ｅに、風呂自動給湯ユニットＡを構成する風呂給湯手段及び追焚き手段としての以下の構成、第１混合弁５、給湯電磁弁６、モータＭを備えるポンプＰ、切換２方弁１２を固定配置できるとともにそれらの構成を接続する配管、すなわち、ヒータ９及びＴ型ジョイント２３を備える温水供給路７、風呂戻り通路１４を固定配置できたものである。
そして流路として、第１混合弁５の冷水導入路５Ｂ、温水流入路５Ｃ及び温水供給路７の下流端としての下方ジョイント部材７Ａ、風呂戻り通路１４の上流端としての下方ジョイント部材１２Ｃが外部に向かって開口することになる。
【００１６】
そして、前記風呂自動給湯ユニットＡは工場において組立てられるもので、アッセンブリー状態にある前記風呂自動給湯ユニットＡが組付け現場に投入され、現場において以下の配管作業が行なわれる。
すなわち、冷水導入路５Ｂは水道水流路１０を介して減圧弁３より下流側の流路に接続され、温水流入路５Ｃは、温水流路４を介して加熱装置１に接続される。又、温水供給路７の下流端の下方ジョイント部材７Ａは浴槽８に向かう温水供給路を介して浴槽８内へ接続されて開口され、更に風呂戻り通路１４の上流側の下方ジョイント部材１２Ｃは浴槽８に向かう風呂戻り通路を介して浴槽８内へ接続して開口される。
【００１７】
そして、第１混合弁５によって温水と水道水が適正に混合されて所定の温度を有する温水が形成され、給湯電磁弁６が開放されることにより、この温水は温水供給路７を介して浴槽８内へ供給され、更にポンプＰ、風呂戻り通路１４、切換２方弁１２を介して浴槽８内へ温水が供給される。
そして、浴槽８内への温水の供給停止は、給湯電磁弁６が流路を閉塞することによって行なわれる。
一方、浴槽８内の温度が所定の温度より低下した際、切換２方弁１２が流路を開放するとともにモータＭが駆動してポンプＰが作動を開始するもので、これによると、浴槽８内の温水は風呂戻り通路１４からポンプＰを介して温水供給路７内へ流入するもので、温水供給路７内を流れる温水はヒータ９によって所定の温度迄加熱されて所定温度に昇温され、この温水が温水供給路７より再び浴槽８内へ供給され、もって浴槽８内の温度を所定の温度に保持できる。
【００１８】
尚、本自動風呂ユニットＡによると、切換２方弁１２を閉塞することにより、圧力センサ１３によって浴槽８内の水位を測定しながら温水供給路７のみの片側給湯を行なうこと。あるいは、ポンプＰを作動することによって浴槽８内の温水を風呂戻り通路１４、温水供給路７を介して循還させ、浴槽８内の湯温の確認を行なうこと。等、種々の機能を有するものであるがそれらの説明は全て省略された。
【００１９】
以上の如く、本発明になる自動給湯装置によると、ベース部材Ｅに、風呂自動給湯ユニットＡの主要構成部材、第１混合弁５、給湯電磁弁６、モータＭを備えるポンプＰ、切換２方弁を固定配置し、更に前記構成を接続する温水供給路７、風呂戻り通路１４等の配管を固定配置できてサブアッセンブリー状態とすることができたことによって次の格別な効果を達成できる。
（１）ベース部材Ｅが特定されるので、特に主要構成部材をベース部材Ｅに固定する為の取付けステー等の取付け部材を多種類に渡って用意する必要がなく取付け部材の共通化が達成できて製造コストを低減できる。
又、主要構成部材が特定されたベース部材Ｅの定められた位置に配置されることから各構成部材を接続する配管が共通化され製造コストを低減できる。
（２）サブアッセンブリー状態において、第１混合弁５の冷却水導入路５Ｂ、温水流入路５Ｃ及び両下方ジョイント部材７Ａ，１２Ｃをそれぞれ対応する流路に接続すれば風呂自動給湯ユニットＡとしての機能検査を実施できるもので品質の著しい向上が達成できた。
（３）実際に現場において設置する際、各構成部品を固定する固定部分を見出す必要がなく、冷却水導入路５Ｂを水道管に接続し、温水流入路５Ｃを温水路４に接続し、下方ジョイント部材７Ａ，１２Ｃを浴槽内に向けて接続すればよいので現場における設置作業は極めて簡単で且つ短時間に行なうことができるもので、これらの作業に熟練を必要としない。
（４）自動風呂ユニットＡに故障が生じた際、他のユニットと交換することによって即座に故障が修復されるもので、故障ユニットはその後において不具合部分が解析される。従って、使用者にとって使用不能の時間を大きく削減でき、商品サービス性を大きく向上できた。
【００２０】
又、ポンプＰの右側方に切換２方弁１２が配置され、ポンプＰの左側方に温水供給路７の垂直部７Ｄが配置されたもので、このとき切換２方弁１２の第１流路１２ＡとポンプＰの第２流路Ｐ２とを接続する風呂戻り通路１４をＵ字形状とし、更にポンプＰの第１流路Ｐ１から温水供給路７の垂直部７Ｄに向かう温水供給路をＵ字形状としたことによると、ポンプＰに対する切換２方弁１２及び温水供給路７の垂直部７Ｄのピッチに誤差が生じてもその誤差をＵ字形状部分が吸収できるので流路内を流れる流体を阻害することなく、確実に接続を行なうことができる。
【００２１】
【発明の効果】
以上の如く、本発明の自動給湯装置によると、第１混合弁、給湯電磁弁、切換２方弁、モータを備えるポンプ、ヒータ及び前記各構成間を接続する配管よりなる風呂自動給湯ユニットをベース部材に一体的に装着してサブアッセンブリー状態としたので、加熱装置に対して風呂自動給湯ユニットを組付ける際、組みつけの為の部品コスト及び組付け作業時間を大きく削減でき、もって安価な自動給湯装置を提供できる。
又、前記風呂自動給湯ユニットは予めアッセンブリー状態にセットされるのでその状態において各種検査を実施できるもので品質の安定向上を達成できるとともに前記ユニットに不具合の発生した際、単にユニットを交換すればよいのでメンテナンス性を著しく向上できたものである。
更に、切換２方弁とポンプとを接続する風呂戻り通路及びポンプから温水供給路に向かう通路をＵ字形状としたことによると、ポンプと切換２方弁のベース部材に対する取付けピッチの誤差、及びポンプと温水供給路のベース部材に対する取付けピッチの誤差を積極的に吸収でき配管の変形による流路の流れ抵抗を大きく阻害することが抑止される。
【図面の簡単な説明】
【図１】  本発明になる自動給湯装置の一実施例を示す要部断面図を含む構成図。
【図２】  自動給湯装置の全体構成を示すシステム図。
【符号の説明】
１        加熱装置
５        第１混合弁
６        給湯電磁弁
７        温水供給路
８        浴槽
９        ヒータ
Ｐ        ポンプ
１４      風呂戻り通路
【図１】
0003887768.tif 000002
【図２】
0003887768.tif 000003